(57)【要約】      （修正有）【課題】パチンコ球流路に異物等が挿入されるおそれがなく、また、球詰まりするおそれがないパチンコ球補給用分流器をプラスチック成形したものとして提供する。【解決手段】夫々プラスチック成形された取付側板１０と中仕切板３０と表側板５０とを合着することにより周囲が閉じられた箱状に形成される分流器であって、中仕切板および／または表側板に一体に起立リブを形成することにより合着した該中仕切板と表側板との間に該連通口から下傾状なる第２傾斜樋２１が形成され、該第２傾斜樋の傾斜下端部に相当する中仕切板と表側板との合着部に球流出接続口２２が形成され、さらに取付側板と中仕切板との間に第１球ならし７０を前記第１傾斜樋上でその下傾方向に自由に揺動可能なるように枢支し、中仕切板と表側板との間に第２球ならし８０を前記第２傾斜樋上でその下傾方向に自由に揺動可能なるように枢支する。【選択図】図２
2005253780.tif 000002
【特許請求の範囲】
【請求項１】
夫々プラスチック成形された取付側板と中仕切板と表側板とを合着することにより周囲が閉じられた箱状に形成される分流器であって、パチンコ球補給樋の側壁に取付られる取付側板には球流入口が開設され、取付側板および／または中仕切板に一体に起立リブを形成することにより合着した該取付側板と中仕切板との間に該球流入口から下傾状なる第１傾斜樋が形成され、該第１傾斜樋の傾斜下端部に相当する中仕切板の端部には連通口が開設され、中仕切板および／または表側板に一体に起立リブを形成することにより合着した該中仕切板と表側板との間に該連通口から下傾状なる第２傾斜樋が形成され、該第２傾斜樋の傾斜下端部に相当する中仕切板と表側板との合着部に球流出接続口が形成され、さらに取付側板と中仕切板との間に第１球ならしを前記第１傾斜樋上でその下傾方向に自由に揺動可能なるように枢支し、中仕切板と表側板との間に第２球ならしを前記第２傾斜樋上でその下傾方向に自由に揺動可能なるように枢支してなることを特徴としたパチンコ球補給用分流器。
【請求項２】
内部のパチンコ球を透視可能なプラスチックによって成形した請求項１に記載のパチンコ球補給用分流器。
【請求項３】
第１球ならしにピンを突設し、該ピンが遊嵌する円弧状のガイド孔を取付側板および／または中仕切板に形成することにより、該第１球ならしの自由揺動範囲が制限され、該第１球ならしと第１傾斜樋上の上面との間隔をパチンコ球１個では該第２球ならしに非接触で通過でき、パチンコ球が２段に積み重なった状態では該第２球ならしに接触するよう設定したことを特徴とする請求項１または２に記載のパチンコ球補給用分流器。
【請求項４】
第２球ならしにピンを突設し、該ピンが遊嵌する円弧状のガイド孔を中仕切板および／または表側板に形成することにより、該第２球ならしの自由揺動範囲が制限され、該第２球ならしと第２傾斜樋上の上面との間隔をパチンコ球１個では該第２球ならしに非接触で通過でき、パチンコ球が第２傾斜樋上の上面から離間した状態では該第２球ならしに接触するように設定したことを特徴とする請求項１〜３のいずれかに記載のパチンコ球補給用分流器。
【請求項５】
第２球ならしの下流に第２傾斜樋の上面との間隔をパチンコ球２個分からパチンコ球１個分に漸次狭くする傾斜リブを形成したことを特徴とする請求項１〜４のいずれかに記載のパチンコ球補給用分流器。
【発明の詳細な説明】
【技術分野】
【０００１】
本発明はパチンコ遊技場における島台上部に設けられたパチンコ球補給樋に固着され、各パチンコ機に景品用のパチンコ球を補給するパチンコ球補給用分流器に関するものである。
【背景技術】
【０００２】
パチンコ遊技場では多数のパチンコ機が列設された島台の上部にパチンコ球補給樋が設けられ、該パチンコ球補給樋から各パチンコ機に下記特許文献１に示されたような分流器を介してパチンコ球を一列に整列して補給するように構成している。
【特許文献１】実用新案登録第２５８３９４１号公報
【発明の開示】
【発明が解決しようとする課題】
【０００３】
ところで上記分流器は、いわゆる幕板によって被われており、従来では遊技者から見えないようになっていた。そこで、遊技者にパチンコ球が補給される状況が見られるようにすれば、遊技者の興味を喚起し遊技性を向上させることが想定される。
【０００４】
しかしながら従来の上記分流器は、底部に傾斜樋が屈折状に形成され上面が開放した器状なるようにプラスチックの一体成形により作られたものであったので、該分流器が遊技者から見えて手の届く高さにあると、その開放上面から分流器内のパチンコ球流路に異物が挿入されるなどのいたずらがされるおそれがある。
【０００５】
また、上記分流器ではパチンコ球を一列に整列させるため傾斜樋上に振り子状の球ならしが設けられていたが、従来の球ならしは、自重によって真直下に垂下する形態で傾斜樋上に揺動可能に吊下されたものであったので、自重で流下するパチンコ球に常に抵抗を及ぼすものであった。このためパチンコ球の自重による流下力が常に弱められ、球詰まりの原因を作り易いものであった。
【０００６】
そこで、本発明は、上記のように遊技者から見られるという設置状況にも適した分流器をプラスチックによって成形可能にするとともに、パチンコ球を常にスムースに補給し得る分流器を提供しようとするものである。
【課題を解決するための手段】
【０００７】
そのために請求項１に記載のパチンコ球補給用分流器は、夫々プラスチック成形された取付側板と中仕切板と表側板とを合着することにより周囲が閉じられた箱状に形成される分流器であって、パチンコ球補給樋の側壁に取付られる取付側板には球流入口が開設され、取付側板および／または中仕切板に一体に起立リブを形成することにより合着した該取付側板と中仕切板との間に該球流入口から下傾状なる第１傾斜樋が形成され、該第１傾斜樋の傾斜下端部に相当する中仕切板の端部には連通口が開設され、中仕切板および／または表側板に一体に起立リブを形成することにより合着した該中仕切板と表側板との間に該連通口から下傾状なる第２傾斜樋が形成され、該第２傾斜樋の傾斜下端部に相当する中仕切板と表側板との合着部に球流出接続口が形成され、さらに取付側板と中仕切板との間に第１球ならしを前記第１傾斜樋上でその下傾方向に自由に揺動可能なるように枢支し、中仕切板と表側板との間に第２球ならしを前記第２傾斜樋上でその下傾方向に自由に揺動可能なるように枢支してなることを特徴とする。
【０００８】
また請求項２に記載のパチンコ球補給用分流器は、請求項１に記載のパチンコ球補給用分流器において、内部のパチンコ球を透視可能なプラスチックによって成形したことを特徴とする。
【０００９】
また、請求項３に記載の発明は請求項１または２に記載のパチンコ球補給用分流器において、第１球ならしにピンを突設し、該ピンが遊嵌する円弧状のガイド孔を取付側板および／または中仕切板に形成することにより、該第１球ならしの自由揺動範囲が制限され、該第１球ならしと第１傾斜樋上の上面との間隔をパチンコ球１個では該第２球ならしに非接触で通過でき、パチンコ球が２段に積み重なった状態では該第２球ならしに接触するよう設定したことを特徴とする。
【００１０】
また、請求項４に記載の発明は請求項１〜３のいずれかに記載のパチンコ球補給用分流器において、第２球ならしにピンを突設し、該ピンが遊嵌する円弧状のガイド孔を中仕切板および／または表側板に形成することにより、該第２球ならしの自由揺動範囲が制限され、該第２球ならしと第２傾斜樋上の上面との間隔をパチンコ球１個では該第２球ならしに非接触で通過でき、パチンコ球が第２傾斜樋上の上面から離間した状態では該第２球ならしに接触するように設定したことを特徴とする。
【００１１】
また、請求項５に記載の発明は請求項１〜４のいずれかに記載のパチンコ球補給用分流器において、第２球ならしの下流に第２傾斜樋の上面との間隔をパチンコ球２個分からパチンコ球１個分に漸次狭くする傾斜リブを形成したことを特徴とする。
【発明の効果】
【００１２】
取付側板と中仕切板と表側板とを合着することにより、パチンコ球流路に異物等が挿入されるおそれのないプラスチック製の分流器を構成できるとともに、球詰まりのおそれが少ない分流器を提供できる。
【実施例１】
【００１３】
図１は本発明に係る分流器の分解斜視図、図２はその組付状態を表した斜視図、図３は図２のＡ−Ａ線断面図、図４はＢ−Ｂ線断面図である。同図中、符号１０，３０，５０は、夫々透明度の高いプラスチックにより成形された取付側板と中仕切板と表側板である。また、７０は該取付側板１０と中仕切板３０との間に設けられる第１球ならし、８０は中仕切板３０と表側板５０との間に設けられる第２球ならしである。
【００１４】
取付側板１０は、上部に長方形状の球流入口１１が開設され、上辺および両側辺に前方起立リブ１２，１３が形成され、下辺には前方起立リブ１４が傾斜状に形成された変形額縁状のもので、球流入口１１の一側縁の近くに第１球ならし７０を枢支するための小孔１５および該小孔を曲率中心とする円弧状のガイド孔１６が開設され、前方起立リブ１２に合着用の係合爪１２ａ，１２ｂ、前方起立リブ１４に係合爪１４ａ，１４ｂを夫々形成している。また、１７は該取付側板１０をパチンコ球補給樋９０の側壁に装着するために該取付側板１０に一体に形成された取付片で、該取付片の背面および取付側板１０の背面にパチンコ球補給樋９０の側壁に着脱自在に係合する爪部１８ａ，爪部１８ｂが対設されている。
【００１５】
また、上記中仕切板３０は、図５，図６にも示されるように、上辺および両側辺に後方起立リブ３１，３２が形成されるとともに、前記前方起立リブ１４と相対するように後方起立リブ３３が傾斜状に形成され、該後方起立リブ３３の傾斜下端部に縦長切欠状に連通口３４が開設され、下辺に該連通口から下傾状なるように前方起立リブ３５が形成され、該前方起立リブ３５の傾斜下部に半筒状体３６が形成され、さらに前記小孔１５と相対する小孔３７、前記ガイド孔１６と相対するガイド孔３８が開設され、また、連通口３４の上縁部近くに第２球ならし８０を枢支するための小孔３９および該小孔を曲率中心とする円弧状のガイド孔４０が開設され、前記係合爪１２ａ，１２ｂが係合する係合溝４１ａ，４１ｂおよび係合爪１４ａ，１４ｂが係合する係合孔４２ａ，４２ｂが形成されている。また、４３ａ，４３ｂは中仕切板３０の前面に突設された係合爪、４４ａ，４４ｂは前方起立リブ３５の前縁に形成された係合爪である。
【００１６】
また、表側板５０は、上辺に後方起立リブ５１が形成され、両側辺には後方に円弧状に起立する後方起立リブ５２，５３が形成され、下辺には前記前方起立リブ３５と相対する傾斜状の後方起立リブ５４が形成され、該後方起立リブ５４の傾斜下部に後方起立リブ５２より下方に連なる形態で半筒状体５５が形成される。また、該後方起立リブ５４の上部に傾斜リブ５６が形成され、該傾斜リブ５６の上縁部近くに前記小孔３９と相対する小孔５７およびガイド孔５８が形成される。また、５９ａ，５９ｂは後方起立リブ５１の上面に形成された係合突起、６０ａ，６０ｂは後方起立リブ５４の下面に形成された係合突起である。なお、６２はポリビニル等の軟弾性の合成樹脂により一体に成形された可撓性帯部６３を表側板５０に形成された止孔６１に挿通し突起６４に止着したストッパピン、６５は該ストッパピンを挿通し得るように後方起立リブ５４の下端部近くに開設された透孔である。なお、該ストッパピン６２はパチンコ機台を開けたときにパチンコ球の落下を防ぐため必要に応じて透孔６４に差し込むものである。
【００１７】
また、第１球ならし７０および第２球ならし８０は、ともにプラスチックにより滴形に形成され、その上端部両側に支軸７１，８１が夫々突設され、下部に形成された丸孔に錘となるパチンコ球７４，８４が夫々挿入され、また、下部両側にピン７３，８３が突設されている。なお、該支軸７１，８１の基部７１ａ，８１ａは該支軸よりも少し大径段状に形成されている。
【００１８】
そして、支軸７１を前記小孔１５，３７に、ピン７３をガイド孔１６，３８に夫々遊挿し、取付側板１０の係合爪１２ａ，１２ｂ，係合爪１４ａ，１４ｂを夫々係合溝４１ａ，４１ｂおよび係合孔４２ａ，４２ｂに係合し、取付側板１０と中仕切板３０とを合着することにより、前方起立リブ１４と後方起立リブ３３とで前記球流入口１１の下部より下傾状に続く第１傾斜樋２０を形成するとともに、該取付側板１０と中仕切板３０との間に第１球ならし７０を第１傾斜樋２０上でその下傾方向に自由に揺動可能なるように枢支する。なお、ピン７３がガイド孔１６，３８に夫々遊挿されていることから該第１球ならし７０の自由揺動範囲が制限され、図５に示したように、該第１球ならし７０と第１傾斜樋２０上の上面との間隔をパチンコ球１個では該第２球ならしに非接触で通過でき、パチンコ球が２段に積み重なった状態では該第２球ならしに接触するよう設定する。
【００１９】
また、支軸８１を前記小孔３９，５７に、ピン８３をガイド孔４０，５８に夫々遊挿し、中仕切板３０の係合爪４３ａ，４３ｂ，係合爪４４ａ，４４ｂを夫々係合突起５９ａ，５９ｂ，係合突起６０ａ，６０ｂに係合し、中仕切板３０と表側板５０とを合着することにより、前方起立リブ３５と後方起立リブ５４とで前記連通口３４より下傾状に続く第２傾斜樋２１を形成するとともに、該中仕切板３０と表側板５０との間に第２球ならし８０を第２傾斜樋２１上でその下傾方向に自由に揺動可能なるように枢支する。なお、ピン８３がガイド孔４０，５８に夫々遊挿されていることから該第２球ならし８０の自由揺動範囲が制限され、図６に示したように、該第２球ならし８０と第２傾斜樋２１上の上面との間隔をパチンコ球１個では該第２球ならしに非接触で通過でき、パチンコ球が第２傾斜樋上の上面から離間した状態では該第２球ならしに接触するように設定する。
【００２０】
また、前記傾斜リブ５６は、図６に示されるように、第２球ならし８０の下流にて第２傾斜樋２１の上面との間隔がパチンコ球２個分からパチンコ球１個分に漸次狭くするように傾斜状に形成される。また、中仕切板と表側板とが合着しその半筒状体３６と半筒状体５５が合着することにより、該第２傾斜樋２１の傾斜下端部に球流出接続口２２が形成され、該接続口にコイルバネからなる蛇腹状可撓性のホース９１の一端が被着され該ホース９１の他端をパチンコ機の景品球タンク（図示せず）に垂下させる。
【００２１】
このように設定された分流器は、図に示されるように、爪部１８ａ，爪部１８ｂをパチンコ球補給樋９０の側壁に係合することにより装着され、該補給樋９０のパチンコ球が球流入口１１から第１傾斜樋２０上に流落し、該第１傾斜樋上でパチンコ球が上下に２段以上に積み重なった場合、第１球ならし７０にそのパチンコ球が接触することから流下するに従って積み重なりが次第に少なくなり、連通口３４を通って第２傾斜樋２１上に流れ、球圧力によって該第２傾斜樋２１上から離間したパチンコ球が第２球ならし８０に接触し、その離間状態を解消させる。
【００２２】
そして、第１球ならし７０は上記ガイド孔１６，３８によって自由揺動範囲が制限され、パチンコ球が非接触であるときには第１傾斜樋２０の傾斜方向に振れた姿態で待機するので、該傾斜樋上にパチンコ球が２段以上に積み重なろうとすると直ちに該球ならしの重みが掛かってその積み重なりを阻止する。また、第２球ならし８０は上記ガイド孔４０，５８によって自由揺動範囲が制限され、パチンコ球が非接触であるときには第２傾斜樋２１の傾斜方向に振れた姿態で待機するので、該傾斜樋上にパチンコ球が第１傾斜樋２０上から浮き上がっていると直ちに該球ならしの重みが掛かってその浮上状態、即ち、第２傾斜樋上からの離間状態を解消させる。このように、第１球ならし７０および第２球ならし８０はガイド孔１６，３８によって自由揺動範囲が制限されていることにより、パチンコ球の自重による流下力を無用に弱めることなく球流れをスムースにし、積み重なりを解消させ球詰まりを防ぐ。
【００２３】
また、第２球ならし８０の下流は傾斜リブ５６によって第２傾斜樋２１の上面との間隔を漸次狭くしているので、該第２球ならしによる解消が不完全であったとしても球流出接続口２２に至るまでには完全に球の浮上状態が解消される。このため常にスムースにパチンコ球を補給し得る。なお、ガイド孔４０，５８によって制限される第２球ならし８０の揺動の上限位置では、図７に示したように、該第２球ならし８０の下面が傾斜リブ５６の下面と略々面一に連なるようにしている。
【００２４】
なお、支軸７１の基部７１ａは段状に少し大径に形成され該基部の端面が取付側板１０の内面と中仕切板３０の内面に接触するようにしたので、図４に示されるように、第１球ならし７０の両側面がこれら内面に接触することなく、摩擦が軽減されて該第１球ならし７０をよりスムースに揺動させることができる。このことは、第２球ならし８０についても同様である。
【００２５】
一方、図８に例示したように、支軸７１が遊挿される取付側板１０の内面と中仕切板３０の内面にボス１９，４８を形成し、支軸８１が遊挿される中仕切板３０の内面と表側板５０の内面にボス４９，５９を形成することによっても、第１球ならし７０および第２球ならし８０の揺動時の摩擦を軽減できる。
【００２６】
また、この実施例ではガイド孔を第１球ならし７０および第２球ならし８０の両側に夫々形成したが、一方の側面にだけ形成してもよい。また、この実施例では第１傾斜樋２０および第２傾斜樋２１は、夫々合着することにより形成されるようにしたが、一方の起立リブだけで形成されるようにしてもよい。また、この実施例では、一体に形成された係合爪によって取付側板と中仕切板と表側板とを合着させたが、ビスの締付により合着させる構成としてもよいこと勿論である。
【００２７】
また、本発明に係る分流器は、プラスチック製の取付側板と中仕切板と表側板とを合着することにより構成されるので、従来のように一つの金型によって深い器状の成形品として一体に成形する際に生じ易い側壁面の成形歪が生じることもなく、製品精度，品質を維持することができる。
【００２８】
そしてこの分流器は、周囲が閉じられた箱状に形成されるので、異物が挿入されるおそれがなく、中仕切板３０と表側板５０を透明度の高いプラスチックにより成形することにより、遊技者からパチンコ球が補給される状況が見られるようになり、パチンコ遊技の興趣を増大させるなどの利点がある。
【図面の簡単な説明】
【００２９】
【図１】本発明の実施例を示すパチンコ球補給用分流器の分解斜視図。
【図２】本発明の実施例を示すパチンコ球補給用分流器の斜視図。
【図３】図２のＡ−Ａ線断面図。
【図４】図２のＢ−Ｂ線断面図。
【図５】図３のＣ−Ｃ線断面図。
【図６】図３のＤ−Ｄ線断面図。
【図７】図６の作動状態図。
【図８】図４の他の実施例図。
【符号の説明】
【００３０】
１０                                              取付側板
１１                                              球流入口
１２，１３，１４                                  起立リブ
１４ａ，１４ｂ                                    係合爪
１５                                              小孔
１６                                              ガイド孔
１７                                              取付片
１８ａ，１８ｂ                                    爪部
２０                                              第１傾斜樋
２１                                              第２傾斜樋
２２                                              球流出接続口
３０                                              中仕切板
３１，３２，３３，３５                            起立リブ
３４                                              連通口
３９                                              小孔
４０                                              ガイド孔
４１ａ，４１ｂ                                    係合溝
４２ａ，４２ｂ，４３ａ，４３ｂ，４４ａ，４４ｂ    係合孔
５０                                              表側板
５１，５２，５３，５４                            起立リブ
５６                                              傾斜リブ
５９ａ，５９ｂ，６０ａ，６０ｂ                    係合突起
６２                                              ストッパピン
６４                                              透孔
７０                                              第１球ならし
７１                                              支軸
７３                                              ピン
８０                                              第２球ならし
８１                                              支軸
８３                                              ピン
９０                                              パチンコ球補給樋
【図１】
2005253780.tif 000003
【図２】
2005253780.tif 000004
【図３】
2005253780.tif 000005
【図４】
2005253780.tif 000006
【図５】
2005253780.tif 000007
【図６】
2005253780.tif 000008
【図７】
2005253780.tif 000009
【図８】
2005253780.tif 000010